(57)【要約】【課題】シュリンクフィルムによる包装にあたって、外観形状を一定とすること、およびフィルムの収縮力によってヘッドが傾かないようにすることを課題としたスペーサーを備えた流体吐出容器を提供すること。【解決手段】流体吐出容器におけるヘッドと取付けキャップとの間に嵌挿されるスペーサーであって、ヘッドは、側周壁下端に位置決め部が設けられており、スペーサーは、基部と、先端につまみ部を設けた突出板とからなり、該突出板の上面に、前記位置決め部に係合する係止部が設けられていることを特徴とする。【選択図】        図１
2004262503.tif 000002
【特許請求の範囲】
【請求項１】
流体吐出容器におけるヘッドと取付けキャップとの間に嵌挿されるスペーサーであって、
ヘッドは、側周壁下端に位置決め部が設けられており、
スペーサーは、基部と、先端につまみ部を設けた突出板とからなり、該突出板の上面に、前記位置決め部に係合する係止部が設けられていることを特徴とする流体吐出容器のスペーサー。
【請求項２】
ヘッドの位置決め部が、突起または凹溝であり、
スペーサーの突出板に設けられた係止部が、凹溝または突起であることを特徴とする請求項１記載の流体吐出容器のスペーサー。
【請求項３】
ヘッドの位置決め部が、ノズル下方に位置する側周壁下端に設けられており、
突出板が、その上面に、係止部とともにノズルの下側に係合するストッパーを立設していることを特徴とする請求項１記載の流体吐出容器のスペーサー。
【発明の詳細な説明】
【０００１】
【発明の属する技術分野】
本発明は、流体吐出容器に用いるストッパーに関する。
【０００２】
【従来の技術】
流体噴出ポンプとして、ポンプの取付けキャップと引上げ状態のヘッド７との間に把手４３を突設したスペーサー４１を介在させ、ヘッド７を押下げ不能とし、ポンプ内の蛇腹管２４を引伸ばされた状態で係止し、蛇腹管２４を保護するようにした流体噴出ポンプは、従来より知られている（例えば、特許文献１参照。）。
【０００３】
【特許文献１】
特開平１０−１０１１１７号公報
【０００４】
【発明が解決しようとする課題】
しかしながら、上記従来の流体噴出ポンプは、収縮フィルムで包装する場合、ノズルに対してスペーサーの把手の位置が一定しないので、包装時に、外観形状にバラツキが生じ、店頭陳列時に見栄えがよくないという問題があった。
【０００５】
また、ノズルの長さを短くした上で包装しても、フィルムの収縮力によって、ノズル先端にノズルを下方に傾けようとする力がかかり、ヘッドの軸線を偏奇させたり、傾斜させたりするように作用した。
そのため、スペーサーを介在させても、ヘッドにガタつきが生じたり、場合によっては、液漏れを生じるおそれもあった。
【０００６】
本発明は、上記の問題を解決するため、シュリンクフィルムによる包装にあたって、外観形状を一定とすること、およびフィルムの収縮力によってヘッドが傾かないようにすることを課題としたスペーサーを備えた流体吐出容器を提供することを目的とする。
【０００７】
【課題を解決するための手段】
本発明は、上記の課題を解決するため、流体吐出容器のスペーサーとして、流体吐出容器におけるヘッドと取付けキャップとの間に嵌挿されるスペーサーであって、ヘッドは、側周壁下端に位置決め部が設けられており、スペーサーは、基部と、先端につまみ部を設けた突出板とからなり、該突出板の上面に、前記位置決め部に係合する係止部が設けられていることを特徴とする構成を採用する。
【０００８】
具体的な実施態様として、ヘッドの位置決め部が、突起または凹溝であり、スペーサーの突出板に設けられた係止部が、凹溝または突起であることを特徴とする構成を採用する。
【０００９】
別実施形態として、ヘッドの位置決め部が、ノズル下方に位置する側周壁下端に設けられており、突出板が、その上面に、係止部とともにノズルの下側に係合するストッパーを立設していることを特徴とする構成を採用する。
【００１０】
【発明の実施の形態】
次に、本発明の実施形態について、図面を参照して説明する。
図１、２において、Ａは容器、Ｂは取付キャップ、Ｃはポンプ、Ｄは吐出ヘッド、Ｅはスペーサーである。
容器Ａは、口部１と肩部、胴部と底部とからなり、口部１には、筒体２を立設した取付キャップＢを介してポンプＣが取着されている。
ポンプＣのピストン部材には、筒体２内で上下動されるステムが連設され、ステムの上端には、吐出ヘッドＤが連設されている。
【００１１】
吐出ヘッドＤは、角形の頂壁３と、頂壁３の外周から垂設された側周壁４、ステムに嵌着された流路筒（図示しない）と、流路筒に接続され、前面側の側周壁４から突出したノズル５が設けられている。
ノズル５の反対側の側周壁４下端には、位置決め突起６が垂設されている。
【００１２】
ポンプＣ、吐出ヘッドＤの各内部構造、関連機構等は、公知のものとほぼ同様であり、これ以上の詳しい説明は省略する。
【００１３】
スペーサーＥは、図２に示すように、基部１０、該基部１０に連設された把手部１１とからなっている。
基部１０は、筒体２の少なくとも１８０度をこえる角度範囲で筒体２の外周を覆い、スナップフィット式に筒体２に嵌合される一対の円弧状の抱持片１２からなっている。
把手部１１は、基部１０に連設された突出板１３と、その先端に連設された円弧状のつまみ部１４とからなっており、突出板１３の上面、または上下面には、位置決め突起６が挿入される凹溝１５が刻設されている。
【００１４】
流通時の製品の包装にあたって、ヘッドＤが最上昇位置の状態で、ヘッドＤ下面と、取付けキャップＢ上面との間に、スペーサーＥをヘッドＤの位置決め突起６が突出板１３の凹溝１５に嵌挿するように位置合わせして嵌挿し、次いでシュリンクフィルムでヘッドＤとともに取付けキャップＢを被覆する。
【００１５】
突起６の位置を任意に選択配置することができるので、外観のバラツキをなくして常に一定にするとともに、必要な外観形状を選択することができる。
【００１６】
次に、本発明の第２実施形態について説明する。
本実施形態は、ノズルの下面に位置決めストッパーを係合させるようにしたもので、容器、取付けキャップ、ポンプは、前実施形態と同一の構成であるので説明を省略し、同一の構成については添字ａを付けて図示し、以下、相違点を中心に説明する。
【００１７】
ヘッドＤａは、図４に示すように、前記実施形態と同様に、ポンプＣのステムに連設されているが、ノズル５ａの下方に位置して側周壁４ａ下端には、位置決め突起６ａが垂設されている。
【００１８】
スペーサーＥａは、図５に示すように、前記実施形態と同様に、基部２０と把手部２１とを具えており、基部２０は、筒体２ａを抱持する一対の円弧状の抱持片２２からなっている。
把手部２１は、基部２０に連設され、その先端に円弧状のつまみ部２３を設けた突出板２４と、突出板２４より上方に立設されたストッパー２５とを具えている。
【００１９】
突出板２４の上面には、位置決め突起６ａが嵌入される凹溝２６が刻設されており、前記ストッパー２５は、その外側でヘッドＤａの外周に接する位置からスペーサーＥａの挿入時に、図６に示すように、ノズル５ａの下面に接合するようになっている。
【００２０】
容器の包装にあたって、ヘッドＤａを最上昇位置の状態で、ヘッドＤａ下面と取付けキャップＢａ上との間に、スペーサーＥａを位置決め突起６ａに凹溝２６に嵌入するとともに、ストッパー２５をノズル５ａの下面に係合させるようにして嵌挿する。
【００２１】
次いで、シュリンクフィルムでヘッドＤａとともに取付けキャップＢａを被覆する。
被覆時には、ノズル５ａは、フィルムの収縮力により下方に傾けられ、ヘッドＤａを廻動させるように作用するが、ノズル５ａに係合するストッパー２５が、ヘッドＤａの上記の廻動を阻止するよう作用し、ヘッドＤａが傾くことを防ぐことができる。
【００２２】
前記各実施形態では、ヘッドの位置決め部として、側周壁下端に突起を垂設し、スペーサーの係止部として、突出板上面に凹溝を刻設したが、ヘッドの側周壁下端に凹溝を刻設し、突出板上面に突起を立設するようにしてもよい。
【００２３】
【発明の効果】
本発明は、上記のように構成されているから、次の効果を奏する。
ヘッドと取付けキャップとの間に、スペーサーを位置合わせして嵌挿するようにしたから、ノズルに対してスペーサーのつまみ部を常に一定の位置として包装できるので、包装容器の外観を一定にすることができる。
【００２４】
また、スペーサーの突出板に、スペーサー嵌挿時にノズル下面に係合するストッパーを立設したときには、シュリンクフィルムの収縮によるノズルの下方への傾き、ヘッドの傾きを阻止することができる。
【図面の簡単な説明】
【図１】本発明の流体吐出容器の立面図である。
【図２】スペーサーの説明図で、（ａ）は上面図、（ｂ）は正面断面図である。
【図３】スペーサーを取着した流体吐出容器の説明図である。
【図４】第２実施形態の流体吐出容器の立面図である。
【図５】スペーサーの説明図で、（ａ）は上面図、（ｂ）は正面図、（ｃ）は側面図である。
【図６】スペーサーを取着した流体吐出容器の説明図である。
【符号の説明】
Ａ          容器
Ｂ、Ｂａ    取付けキャップ
Ｃ          ポンプ
Ｄ、Ｄａ    ヘッド
Ｅ、Ｅａ    スペーサー
１          口部
２、２ａ    ステム
３          頂壁
４、４ａ    側周壁
５、５ａ    ノズル
６、６ａ    位置決め突起
１０、２０  基部
１１、２１  把手部
１２、２２  抱持片
１３        突出板
１４、２３  つまみ部
１５、２６  凹溝
２５        ストッパー
【図１】
2004262503.tif 000003
【図２】
2004262503.tif 000004
【図３】
2004262503.tif 000005
【図４】
2004262503.tif 000006
【図５】
2004262503.tif 000007
【図６】
2004262503.tif 000008